(57)【要約】本発明はおむつ又は失禁プロテクタの如き吸収物品（１００）であって、前記吸収物品が第一脚開口（１２０）及び第二脚開口（１３０）及び腰開口（１１０）を有するパンツのように設計され、前記物品が少なくとも第一脚開口に配置された第一開放可能封止線（１４０）、及び前記開放可能封止線（１４０）が破壊されるときに互いに協働することができるように配置された第一（１５０´，１７０´）及び第二（１５０，１７０）開放及び閉鎖手段を含むものに関する。第一（１５０´，１７０´）及び第二（１５０，１７０）閉鎖手段は封止線（１４０）の各側上に位置され、かつパンツの表面上に配置され、第一閉鎖手段（１５０´，１７０´）はパンツの内側上に配置され、第二閉鎖手段（１５０，１７０）はパンツの外側上に配置される。第一（１５０´，１７０´）及び第二（１５０，１７０）開放及び閉鎖手段は封止線（１４０）の範囲の主要な線に実質的に平行に配置されることが好ましい。
2006507076.tif 000002
【特許請求の範囲】
【請求項１】
おむつ又は失禁プロテクタの如き吸収物品（１００）であって、前記吸収物品が第一脚開口（１２０）及び第二脚開口（１３０）及び腰開口（１１０）を有するパンツのように設計され、前記物品が少なくとも第一脚開口に配置された第一開放可能封止線（１４０）、及び前記開放可能封止線（１４０）が破壊されるときに互いに協働することができるように配置された第一（１５０´，１７０´）及び第二（１５０，１７０）開放及び閉鎖手段を含むものにおいて、第一（１５０´，１７０´）及び第二（１５０，１７０）閉鎖手段が封止線（１４０）の各側上に位置され、かつパンツの表面上に配置され、第一閉鎖手段（１５０´，１７０´）がパンツの内側上に配置され、第二閉鎖手段（１５０，１７０）がパンツの外側上に配置されることを特徴とする吸収物品（１００）。
【請求項２】
第一（１５０´，１７０´）及び第二（１５０，１７０）開放及び閉鎖手段が封止線（１４０）の範囲の主要な線に実質的に平行に配置されることを特徴とする請求項１に記載の吸収物品（１００）。
【請求項３】
第一（１５０´，１７０´）及び第二（１５０，１７０）開放及び閉鎖手段がタッチアンドクローズテープからなることを特徴とする請求項１又は２に記載の吸収物品（１００）。
【請求項４】
第一（１５０´，１７０´）及び第二（１５０，１７０）開放及び閉鎖手段が接着剤表面からなることを特徴とする請求項１又は２に記載の吸収物品（１００）。
【発明の詳細な説明】
【技術分野】
【０００１】
本発明はパンツのように設計されたおむつ又は失禁プロテクタの如き吸収物品に関する。吸収物品は少なくとも第一開放可能封止線及び前記開放可能封止線が破壊されるときに互いに協働することができるように配置される第一及び第二開放及び閉鎖手段を含む。
【背景技術】
【０００２】
パンツのように設計された吸収物品、いわゆるおむつパンツは従来から知られている。名前が示すとおり、これらの物品はショーツ又はブリーフのように設計されている。使用者が物を作るのを容易にするために、物品は供給時にパンツのように予め形作られていることが多い。
【０００３】
使用者又は看護人、親などが物を作るのを容易にするために、おむつパンツは開放可能封止線、例えば熱溶接継目の助けでパンツのように作り上げられることが多く、それはパンツの一つの脚開口において配置され、パンツのウエストラインから下がって脚開口へ延びる。
【０００４】
開放可能封止線の助けで、おむつパンツは例えばそれらを交換しなければならないかどうかをチェックするために開放されることができる。もしおむつパンツを交換する必要がないことが見出されるなら、おむつを再び閉じることができることが必要である。もし封止線が熱溶接継目又は他のタイプの再閉鎖できないクロージャであるなら、おむつパンツは換言すれば封止線が開放された後にそれらを再閉鎖するための手段を与えられなければならない。おむつパンツを再閉鎖するためのこれらの手段は何度も使用されることができる、即ちおむつパンツの状態をチェックするために繰り返し開閉できるタイプのものであることが好ましい。
【０００５】
この問題に対する公知の解決策は例えばＧＢ  ２２６７０２４及びＵＳ  ５３７０６３４に開示されている。これらの文献の両方とも一回だけのタイプの封止線を有するおむつパンツを開示し、そこではおむつパンツは一回より多く使用されることができるタイプのツーパート再閉鎖手段、例えばタッチアンドクローズテープを与えられる。
【０００６】
例えば二つの上述の文献に開示された従来技術によれば、再閉鎖のためのツーパート手段の一つの部分は元の封止線を越えてパンツの自然な形状から突出する別個のフラップ上に配置され、第二の部分はフラップのための“目標領域”としてパンツ上に配置される。
【０００７】
従って、従来技術は多数の欠点を有する：使用される別個のフラップはおむつパンツの製造をより困難にし、従って製造をより高価なものにする。加えて、製造のスピードは別個のフラップを与えられなければならないおむつパンツによって低下される。
【０００８】
さらに、フラップの使用はおむつパンツの製造における材料消費を増大し、それは製品をより高い製造コストのものにする。
【発明の開示】
【０００９】
それゆえ顧客に供給されるときに既におむつパンツの形状であることができる吸収物品に対する要求があり。同時に問題のおむつパンツは従来技術のものより容易に開放及び再閉鎖されることができなければならず、おむつパンツは従来技術のものより低い製造コストを持たなければならない。
【００１０】
この要求は本発明によって満足され、それはおむつ又は失禁プロテクタの如き吸収物品を開示し、その吸収物品は第一脚開口及び第二脚開口及び腰開口を有するパンツのように設計されている。その吸収物品は少なくとも第一脚開口に配置された第一開放可能封止線、及び前記開放可能封止線が破壊されるときに互いに協働することができるように配置された第一及び第二開放及び閉鎖手段を含む。第一及び第二閉鎖手段は封止線の各側上に位置され、かつパンツの表面上に配置され、第一閉鎖手段はパンツの内側上に配置され、第二閉鎖手段はパンツの外側上に配置される。
【００１１】
第一及び第二開放及び閉鎖手段は封止線の範囲の主要な線に実質的に平行に配置されることが好ましい。
【００１２】
本発明による吸収物品のこのデザインは顧客に供給されるときに一回だけのタイプの開放可能封止線に沿って例えば熱溶接継目の助けで閉鎖されることができるおむつパンツを製造することを可能にする。最初におむつパンツの状態をチェックすると、この封止線は引き裂かれて開放されており、もしおむつパンツを再閉鎖することが必要であるなら、これは第一及び第二閉鎖手段の助けでなされ、それらの手段は互いに向かって簡単にもたらされる。好ましい例では、開放及び閉鎖手段は閉鎖が互いに対して重なりかつ圧縮されるようにされている開放された縁によって極めて簡単に行なうことができるように配置される。
【００１３】
従って、本発明によって、公知のおむつパンツより安価で簡単に製造できる再閉鎖可能なおむつパンツをなお得ながら別個のフラップに対する要求を除去することが可能になる。本発明のさらなる利点は以下の詳細な記述から明らかになるだろう。
【００１４】
図面の記述
本発明は添付図面を参照して以下により詳細に記載されるだろう。
図１は本発明による吸収物品の一例を示す。
図２は開放された状態の図１の吸収物品を示す。
【発明を実施するための最良の形態】
【００１５】
図１は出荷のための準備が出来た状態の本発明による吸収物品、即ちおむつパンツ１００を示す。
【００１６】
おむつパンツ１００は腰開口１１０、及び第一脚開口１２０及び第二脚開口１３０を含む。少なくとも一つの脚開口１２０において、おむつパンツ１００は例えば熱溶接、超音波溶接などの助けで製造される開放可能封止線１４０の助けで閉鎖される。
【００１７】
おむつパンツの状態がそれらを開放することによって初めてチェックされることになるとき、開放可能封止線１４０は引き裂かれて開放される。もしおむつパンツが使用され続けることができるか又は何らかの他の理由のため取り除かれるべきでないことが見出されるなら、開放可能封止線１４０によって規定される線でそれらを再び閉じることができることが必要である。
【００１８】
本発明によれば、おむつパンツ１００は第一１５０及び第二１５０´開放及び閉鎖手段を与えられ、それらは開放可能封止線１４０が破壊されるときに互いに協働できるように配置される。
【００１９】
本発明によれば、第一１５０及び第二１５０´開放／閉鎖手段は封止線１４０の各側上に位置され、第一開放／閉鎖手段１５０がパンツの内側上に配置され第二開放／閉鎖手段１５０´がおむつパンツの外側上に配置されるような方法でおむつパンツの表面上に配置される。
【００２０】
第一１５０及び第二１５０´開放／閉鎖手段が封止線１４０のすぐ近くに配置され、好ましくは原則として封止線と同じ範囲に沿って、換言すれば腰開口１１０から第一脚開口１２０までの範囲のほとんどを走ることが好ましいが必須ではない。それゆえ開放／閉鎖手段はおむつパンツの残りから突出するタブ又はフラップからならないが、代わりにおむつパンツの外側／内側上に直接横たわる。
【００２１】
第一１５０及び第二１５０´開放／閉鎖手段はそれらが封止線１４０に平行に走るように配置されることが好ましい。
【００２２】
換言すれば、封止線１４０が破壊されたとき、第一開放／閉鎖手段１５０が第二開放／閉鎖手段１５０´と係合するように開放された縁を重なるように置くことによって本質的に同じ線に沿っておむつパンツ１００を再閉鎖することが必要である。その後、原則として、これらの開放／閉鎖手段の助けでそれらを何回も開放及び閉鎖することができる。
【００２３】
開放及び閉鎖手段はもちろん、これが本発明に影響しない限り多数の様々なタイプのものであることができる。しかしながら、述べることができる例としては、“フック及びループ”タイプ、様々なタイプの接着剤表面、又は何らかの他の方法で相互作用する表面、及び例えば押しボタンである。この関連において、おむつパンツの一つの表面（好ましくは使用者から離れて面する表面）の全て又は一部の材料はこれらの相互作用する表面の一つ、例えば“フック及びループ”システムのループを構成することができる。
【００２４】
図２では、図１のおむつパンツ１００が開放された状態で示されている。図２からおむつパンツが他の脚開口１３０において第二開放／閉鎖手段１７０，１７０´を与えられることが好ましいことがわかるだろう。第二開放／閉鎖手段１７０，１７０´は位置及び構成に関して第一開放／閉鎖手段１５０，１５０´に概ね対応することが好ましく、その理由のため第二開放／閉鎖手段１７０，１７０´はここでは詳細に記載されないだろう。
【００２５】
図２では、封止線１４０を形成する二つの縁が１４０´及び１４０´´によって示され、第二脚開口における第二封止線を形成する対応する縁が１６０´及び１６０´´によって示されていること以外、おむつパンツ１００の対応部分について図１と同じ参照番号が使用されている。
【００２６】
本発明は上述の図示例に限定されず、代わりに添付の特許請求の範囲内で自由に変更することができる。例えば、開放／閉鎖手段は封止線に平行に走る必要はなく、代わりにそれらはそれらが互いに係合するような多数の様々な方法で配置されることができる。
【図面の簡単な説明】
【００２７】
【図１】本発明による吸収物品の一例を示す。
【図２】開放された状態の図１の吸収物品を示す。
【図１】
2006507076.tif 000003
【図２】
2006507076.tif 000004
【手続補正書】
【提出日】平成16年10月16日(2004.10.16)
【手続補正１】
【補正対象書類名】特許請求の範囲
【補正対象項目名】全文
【補正方法】変更
【補正の内容】
【特許請求の範囲】
【請求項１】
おむつ又は失禁プロテクタの如き再封止可能な吸収物品（１００）であって、前記吸収物品が第一脚開口（１２０）及び第二脚開口（１３０）及び腰開口（１１０）を有するパンツのように設計され、前記物品が少なくとも第一脚開口に配置された一回だけのタイプの第一開放可能封止線（１４０）、及び前記開放可能封止線（１４０）が破壊されるときに互いに協働することができるように配置された第一（１５０´，１７０´）及び第二（１５０，１７０）開放及び閉鎖手段を含むものにおいて、第一（１５０´，１７０´）及び第二（１５０，１７０）閉鎖手段が封止線（１４０）の各側上に位置され、かつパンツの表面上に配置され、第一閉鎖手段（１５０´，１７０´）がパンツの内側上に配置され、第二閉鎖手段（１５０，１７０）がパンツの外側上に配置されることを特徴とする吸収物品（１００）。
【請求項２】
第一（１５０´，１７０´）及び第二（１５０，１７０）開放及び閉鎖手段が封止線（１４０）の範囲の主要な線に実質的に平行に配置されることを特徴とする請求項１に記載の吸収物品（１００）。
【請求項３】
第一（１５０´，１７０´）及び第二（１５０，１７０）開放及び閉鎖手段がタッチアンドクローズテープからなることを特徴とする請求項１又は２に記載の吸収物品（１００）。
【請求項４】
第一（１５０´，１７０´）及び第二（１５０，１７０）開放及び閉鎖手段が接着剤表面からなることを特徴とする請求項１又は２に記載の吸収物品（１００）。
【手続補正２】
【補正対象書類名】明細書
【補正対象項目名】００２４
【補正方法】変更
【補正の内容】
【００２４】
図２では、図１のおむつパンツ１００が開放された状態で示されている。図２からおむつパンツが他の脚開口１３０において第一及び第二開放／閉鎖手段１７０，１７０´を与えられることが好ましいことがわかるだろう。第一及び第二開放／閉鎖手段１７０，１７０´は他の脚開口１３０において位置及び構成に関して第一及び第二開放／閉鎖手段１５０，１５０´に概ね対応することが好ましく、その理由のため開放／閉鎖手段１７０，１７０´はここでは詳細に記載されないだろう。


【手続補正書】
【提出日】平成17年5月24日(2005.5.24)
【手続補正１】
【補正対象書類名】特許請求の範囲
【補正対象項目名】全文
【補正方法】変更
【補正の内容】
【特許請求の範囲】
【請求項１】
おむつ又は失禁プロテクタの如き吸収物品（１００）であって、前記吸収物品が第一脚開口（１２０）及び第二脚開口（１３０）及び腰開口（１１０）を有するパンツのように設計され、前記物品が少なくとも第一脚開口に配置された一回だけのタイプの第一開放可能封止線（１４０）、及び前記開放可能封止線（１４０）が破壊されるときに互いに協働することができるように配置された第一（１５０´，１７０´）及び第二（１５０，１７０）開放及び閉鎖手段を含むものにおいて、第一（１５０´，１７０´）及び第二（１５０，１７０）閉鎖手段が封止線（１４０）の各側上に位置され、かつパンツの表面上に配置され、第一閉鎖手段（１５０´，１７０´）がパンツの内側上に配置され、第二閉鎖手段（１５０，１７０）がパンツの外側上に配置されることを特徴とする吸収物品（１００）。
【請求項２】
第一（１５０´，１７０´）及び第二（１５０，１７０）開放及び閉鎖手段が封止線（１４０）の範囲の主要な線に実質的に平行に配置されることを特徴とする請求項１に記載の吸収物品（１００）。
【請求項３】
第一（１５０´，１７０´）及び第二（１５０，１７０）開放及び閉鎖手段がタッチアンドクローズテープからなることを特徴とする請求項１又は２に記載の吸収物品（１００）。
【請求項４】
第一（１５０´，１７０´）及び第二（１５０，１７０）開放及び閉鎖手段が接着剤表面からなることを特徴とする請求項１又は２に記載の吸収物品（１００）。
【国際調査報告】
2006507076.tif 000005
2006507076.tif 000006
2006507076.tif 000007
2006507076.tif 000008